(57)【特許請求の範囲】
【請求項１】
天板を有するデスク本体と、該デスク本体上に立設されるデスクトップパネルと、該デスク本体と該デスクトップパネルとを連結する連結部材と、を備えているデスク装置において、
前記デスクトップパネルは、互いに対向している一対の側面を有するパネル本体と、該側面に沿って該側面に取り付けられるカバー部材と、該カバー部材の一部を貫通して、該カバー部材の一部を該パネル本体の側面に押し付けて該側面に固定する固定具と、を有し、
前記連結部材は、前記デスク本体に固定されるデスク側取付部と、該デスク側取付部と一体で、該パネル本体の側面に沿うように突出して、前記固定具により該側面に取り付けられるパネル側取付部と、を有し、
前記パネル本体の側面と、前記カバー部材とのうち、少なくとも一方には、他方から遠ざかる向きに凹み、該一方と該他方との間に前記連結部材の前記パネル側取付部が下方から挿入される挿入空間を形成する凹み部が形成されている、
ことを特徴とするデスク装置。
【請求項２】
請求項１に記載のデスク装置において、
前記固定具として、前記カバー部材の一部を貫通する一方で、該カバー部材と前記パネル本体の側面との間の前記挿入空間に挿入された前記連結部材の前記パネル側取付部を貫通せずに、該カバー部材を該パネル本体の側面に固定する第一固定具と、該カバー部材の一部を貫通すると共に、該挿入空間に挿入された前記連結部材の前記パネル側取付部を貫通して、該カバー部材と共に該パネル側取付部を該パネル本体の側面に固定する第二固定具と、を有している、
ことを特徴とするデスク装置。
【請求項３】
請求項１又は２に記載のデスク装置において、
前記カバー部材は、前記パネル本体の側面を覆う側面カバーと、該側面カバーを該側面に取り付けるカバー取付具と、を有し、
前記カバー取付具は、前記挿入空間を形成する前記凹み部と、前記固定具が貫通する貫通孔とが形成されていると共に、前記側面カバーを取り付けるカバー取付部を有している、
ことを特徴とするデスク装置。
【請求項４】
請求項３に記載のデスク装置において、
前記パネル本体の一対の側面には、一方の側面から他方の側面に向かって凹み且つ上下方向に伸びている側溝が形成されており、
前記天板の前後方向において、前記カバー取付具の幅及び前記連結部材のパネル側取付部の幅は、前記パネル本体の側溝の幅よりも狭く、該カバー取付具及び該パネル側取付部は、該側溝内に収まり、
前記挿入空間は、前記カバー取付具の前記凹み部と、前記パネル本体の前記側面の一部を形成する、前記側溝の溝底面との間で形成されている、
ことを特徴とするデスク装置。
【発明の詳細な説明】
【技術分野】
【０００１】
本発明は、天板を有するデスク本体と、このデスク本体に立設されるデスクトップパネルと、を備えているデスク装置に関する。
【背景技術】
【０００２】
デスクトップパネルを備えているデスク装置としては、例えば、以下の特許文献１に記載されたものがある。
【０００３】
このデスク装置は、天板を有するデスク本体とデスクトップパネルとを連結する連結部材を備えている。
【０００４】
連結部材は、デスク本体に取り付けられる鍔部を有する一対の受け座と、各受け座に固定されている挿入柱と、一対の挿入柱の相互間を連結する挿入梁と、を有している。
【０００５】
デスクトップパネルには、各挿入柱がそれぞれ挿入可能な柱挿入溝と、二つの柱挿入溝をつなぎ、挿入梁が挿入可能な梁挿入溝と、が形成されている。これらの溝の幅は、いずれも、挿入柱等が確実に入り込むようにするために、挿入柱等の幅よりも僅かに大きくなっている。
【０００６】
デスクトップパネルは、互いに向かい合う一対の外側板と、一対の外側板間に配される間隔保持板とを有しているパネル本体を備えている。間隔保持板には、上記各種溝を形成するための各種切欠きが形成されている。間隔保持板の両面には、外側板が接着される。各種溝の空間は、間隔保持板の各種切欠きと一対の外側板とで囲まれた各種空間で形成されている。
【０００７】
このデスク装置の組み立てでは、まず、デスク本体に連結部材を固定する。そして、デスクトップパネルの各種溝に連結部材の挿入柱等を入れて、デスクトップパネルを連結部材に取り付ける。
【先行技術文献】
【特許文献】
【０００８】
【特許文献１】特開２００４−５７４３５号公報
【発明の概要】
【発明が解決しようとする課題】
【０００９】
しかしながら、特許文献１に記載のデスク装置では、パネル本体の内部、特に、一対の外側板に挟まれる間隔保持板内に各種溝を形成するために、デスクトップパネルの構造が複雑になり、製造コストが嵩むという問題点がある。
【００１０】
さらに、このデスク装置では、デスクトップパネルの各種溝に挿入柱等を入れて、デスクトップパネルを連結部材に取り付けた際、各種溝の幅が挿入柱等の幅よりも大きくなっているために、各種溝内で挿入柱等にガタが生じ、デスク本体に対して、デスクトップパネルをしっかり取り付けることができない、という問題点もある。
【００１１】
そこで、本発明は、このような従来技術の問題点に着目し、構造が簡易で製造コストを抑えることができると共に、デスクトップパネルをデスク本体にしっかりと取り付けることができるデスク装置を提供することを目的とする。
【課題を解決するための手段】
【００１２】
前記問題点を解決するためのデスク装置に係る発明は、
天板を有するデスク本体と、該デスク本体上に立設されるデスクトップパネルと、該デスク本体と該デスクトップパネルとを連結する連結部材と、を備えているデスク装置において、
前記デスクトップパネルは、互いに対向している一対の側面を有するパネル本体と、該側面に沿って該側面に取り付けられるカバー部材と、該カバー部材の一部を貫通して、該カバー部材の一部を該パネル本体の側面に押し付けて該側面に固定する固定具と、を有し、
前記連結部材は、前記デスク本体に固定されるデスク側取付部と、該デスク側取付部と一体で、該パネル本体の側面に沿うように突出して、前記固定具により該側面に取り付けられるパネル側取付部と、を有し、
前記パネル本体の側面と、前記カバー部材とのうち、少なくとも一方には、他方から遠ざかる向きに凹み、該一方と該他方との間に前記連結部材の前記パネル側取付部が下方から挿入される挿入空間を形成する凹み部が形成されている、ことを特徴とするものである。
【００１３】
上記発明では、パネル本体の側面と、この側面に取り付けられるカバー部材との間に、デスクトップパネルとデスク本体とを連結する連結部材のパネル側取付部が入り込む挿入空間を形成しているので、パネル本体内に溝等を形成するよりも、デスクトップパネルの構造を簡略化することができる。
【００１４】
また、上記発明では、固定具により、カバー部材をデスク本体の側面に押し付ける押付け量を調整することで、パネル本体の側面とカバー部材との間の挿入空間の幅をある程度調整することができる。このため、上記発明によれば、挿入空間内における連結部材のパネル側取付部のガタを抑えることができる。
【００１５】
ここで、上記発明において、前記固定具として、前記カバー部材の一部を貫通する一方で、該カバー部材と前記パネル本体の側面との間の前記挿入空間に挿入された前記連結部材の前記パネル側取付部を貫通せずに、該カバー部材を該パネル本体の側面に固定する第一固定具と、該カバー部材の一部を貫通すると共に、該挿入空間に挿入された前記連結部材の前記パネル側取付部を貫通して、該カバー部材と共に該パネル側取付部を該パネル本体の側面に固定する第二固定具と、を有していてもよい。
【００１６】
以上のように、二種類の固定具を用いる場合、まず、第一固定具でパネル本体の側面にカバー部材を取り付ける。次に、パネル本体の側面とカバー部材との間の挿入空間に、連結部材のパネル側取付部を入れる。そして、第二固定具により、カバー部材及びパネル取付部をパネル本体の側面側に押し付けて、これらをパネル本体の側面に固定する。このため、二種類の固定具を用いると、パネル本体の側面とパネル側取付部との間の隙間、パネル側取付部とカバー部材との間の隙間が無くなり、挿入空間内におけるパネル側取付部のガタを実質的に無くすことができる。
【００１７】
また、上記発明において、前記カバー部材は、前記パネル本体の側面を覆う側面カバーと、該側面カバーを該側面に取り付けるカバー取付具と、を有し、該カバー取付具は、前記挿入空間を形成する前記凹み部と、前記固定具が貫通する貫通孔とが形成されていると共に、前記側面カバーを取り付けるカバー取付部を有していてもよい。
【００１８】
この場合、前記パネル本体の一対の側面には、一方の側面から他方の側面に向かって凹み且つ上下方向に伸びている側溝が形成されており、前記天板の前後方向において、前記カバー取付具の幅及び前記連結部材のパネル側取付部の幅は、前記パネル本体の側溝の幅よりも狭く、該カバー取付具及び該パネル側取付部は、該側溝内に収まり、前記挿入空間は、前記カバー取付具の前記凹み部と、前記パネル本体の前記側面の一部を形成する、前記側溝の溝底面との間で形成されていてもよい。
【００１９】
以上のように、側面カバーとカバー取付具とでカバー部材を構成することにより、パネル本体の側面、カバー取付具、さらに、このカバー取付具をパネル本体に固定する固定具の頭部を側面カバーで覆うことができる。すなわち、固定具の頭部が外部に露出することを回避することができる。
【００２０】
また、パネル本体の側面に側溝を形成し、カバー取付具及び連結部材のパネル側取付部をこの側溝内に収めると、側面カバーの外部露出面積を小さくでき、スマートな外観に仕上げることができる。
【発明の効果】
【００２１】
本発明では、パネル本体の側面と、この側面に取り付けられるカバー部材との間に、デスクトップパネルとデスク本体とを連結する連結部材のパネル側取付部が入り込む挿入空間を形成しているので、パネル本体内に溝等を形成するよりも、デスクトップパネルの構造を簡略化することができ、製造コストを抑えることができる。
【００２２】
さらに、本発明では、挿入空間の幅をある程度調整することができるため、挿入空間内における連結部材のパネル側取付部のガタを抑えることができる。よって、本発明によれば、デスクトップパネルをデスク本体にしっかりと固定することができる。
【図面の簡単な説明】
【００２３】
【図１】本発明に係る一実施形態におけるデスク装置の斜視図である。
【図２】本発明に係る一実施形態における支持脚及び幕板の斜視図である。
【図３】本発明に係る一実施形態におけるデスク装置の後側の要部断面図である。
【図４】本発明に係る一実施形態におけるデスクトップパネルの構成を示す説明図であり、同図（ａ）は、デスクトップパネルの展開正面図、同図（ｂ）はデスクトップパネルの底面図である。
【図５】本発明に係る一実施形態におけるパネル本体及び下カバー部材の要部斜視図である。
【図６】本発明に係る第一実施形態におけるカバー下取付具の形状を示す説明図であり、同図（ａ）はカバー下取付具の正面図、同図（ｂ）はカバー下取付具の右側面図、同図（ｃ）はカバー下取付具の左側面図、同図（ｄ）はカバー下取付具の上面図、同図（ｅ）はカバー下取付具の底面図である。
【図７】本発明に係る一実施形態におけるパネル本体、連結部材、側面カバー部材の要部斜視図である。
【図８】本発明に係る一実施形態における垂下片保持具の形状を示す説明図であり、同図（ａ）は垂下片保持具の正面図、同図（ｂ）は垂下片保持具の外側面（右側面）図、同図（ｃ）は垂下片保持具の内側面（左側面）図、同図（ｄ）は垂下片保持具の上面図、同図（ｅ）は同図（ａ）におけるＡ−Ａ線断面図である。
【図９】本発明に係る一実施形態におけるデスク装置の組立過程での要部正面図（その１）である。
【図１０】本発明に係る一実施形態におけるデスク装置の組立過程での要部側面図（その１）である。
【図１１】本発明に係る一実施形態におけるデスク装置の組立過程での要部正面図（その２）である。
【図１２】本発明に係る一実施形態におけるデスク装置の組立過程での要部側面図（その２）である。
【図１３】本発明に係る一実施形態における連結部材及びカバー下取付具の要部切欠正面図である。
【図１４】図４におけるＸIＶ−ＸIＶ線断面図である。
【図１５】デスクトップパネルが組み上がった際の図４におけるＸIＶ−ＸIＶ線での断面図である。
【図１６】図４におけるＸＶI−ＸＶI線断面図である。
【図１７】デスクトップパネルが組み上がった際の図４におけるＸＶI−ＸＶI線での断面図である。
【図１８】本発明に係る一実施形態における、垂下片保持具及び切欠いた状態のカバー下取付具の上面図である。
【発明を実施するための形態】
【００２４】
以下、本発明に係るデスク装置の一実施形態について説明する。なお、以下の説明において、上、下、前、後、横は、いずれのデスク装置を設置面に設置している状態での向きを示している。すなわち、「下」は、設置面側の向きを示し、「上」は、設置面と反対側の向きを示している。また、「前」は、デスク装置を使用するユーザ側の向きを示し、「後ろ」は、デスク装置を基準にして、このデスク装置を使用するユーザ側と反対側の向きを示す。また、「横」は、上下の方向及び前後の方向に対して垂直な方向を示す。
【００２５】
本実施形態のデスク装置は、図１に示すように、天板１１を有するデスク本体１０と、このデスク本体１０に立設されるデスクトップパネル５０と、デスク本体１０とデスクトップパネル５０とを連結する連結部材９０と、を備えている。
【００２６】
デスク本体１０は、天板１１と、天板１１を支える一対の支持脚２０と、天板１１の後側であって一対の支持脚２０の間に設けられる幕板３０と、配線を収容する配線収容部４１と、を備えている。
【００２７】
天板１１は、矩形板状を成し、上面１２、下面１３、前面１４、後面１５、一対の側面１６を有している。また、一対の支持脚２０は、図１及び図２に示すように、それぞれ板状を成し、互いに対向する上面２２及び下面２３を有する。支持脚２０の上面２２は、天板１１の下面１３であって天板１１の側面１６に沿った部分に接する。また、支持脚２０の下面２３には、設置面に接する設置座２６が設けられている。なお、本実施形態において、天板１１の支持部材として、板状の支持脚２０を２個用いているが、本発明は、これに限定されるものではなく、例えば、柱状の支持脚を４個用いてもよいし、抽斗を備えた抽斗箱を１個と、板状の支持脚１個又は柱状の支持脚２個とを用いてもよい。
【００２８】
天板１１は、互いに平行に配置された一対の支持脚２０のそれぞれの上面２２上に、天板１１の後面１５が各支持脚２０の後面２５より所定距離だけ前方にズレて固定されている。また、幕板３０は、一対の支持脚２０間であって、前後方向において支持脚２０の後面２５の位置に設けられている。従って、幕板３０と天板１１との間には横に細長い矩形状の開口４０が形成されている。また、支持脚２０の上面２２のうち後側の一部には、天板１１が載らず、連結部材９０が固定される連結部材受け面２２ａを成している。すなわち、支持脚２０の上面２２のうち、後側の一部が連結部材受け面２２ａと成し、残りの前側が天板１１が載る天板受け面２２ｂを成している。
【００２９】
一対の支持脚２０の間であって、幕板３０と天板１１との間の開口４０には、配線収納部４１が配置されている。配線収納部４１は、図３に示すように、断面が溝型を成す配線受けトレー４２と、横に細長い矩形状の開口４０を塞ぐ矩形状の配線カバー４５と、この配線カバー４５を開閉可能に支持するカバー支持具４８と、を有している。
【００３０】
溝型の配線受けトレー４２は、配線Ｃが載る底板部４２ａと、互いに向かい合っている後板部４２ｂ及び前板部４２ｃとを有している。この配線受けトレー４２は、その後板部４２ｂの上部が幕板３０の上部３１に固定されている。
【００３１】
カバー支持具４８は、配線カバー４５の両側端部に相当する位置で、幕板３０の上部３１に固定されている。このカバー支持具４８は、配線カバー４５が開閉動作するための回転軸４９が設けられている。
【００３２】
配線カバー４５は、矩形状の開口４０を塞ぐ矩形板状のカバー板部４５ａと、このカバー板部４５ａの両側に設けられている側板部４５ｂと、カバー板部４５ａの後端に設けられている後板部４５ｃと、を有している。この配線カバー４５の側板部４５ｂには、カバー支持具４８の回転軸４９が入り込む軸溝４６が形成されている。
【００３３】
配線カバー４５は、このカバー支持具４８の回転軸４９を基準として、その前端側が揺動して、開閉動作する。具体的には、配線カバー４５は、そのカバー板部４５ａが天板１１の上面１２と平行な閉状態と、そのカバー板部４５ａが天板１１の上面１２と垂直で、開口４０を上方から臨める開状態との間で揺動する。
【００３４】
デスクトップパネル５０は、図４に示すように、矩形板状のパネル本体５１と、パネル本体５１の上面を覆う上面カバー部材６０と、パネル本体５１の下面に取り付けられる下面カバー部材６２と、パネル本体５１の側面に取り付けられる側面カバー部材７０と、各カバー部材をパネル本体５１に固定するための固定具としての各種ネジ１，２と、パネル本体５１の上角部を覆う上コーナーキャップ６８と、を有している。
【００３５】
パネル本体５１は、図４及び図５に示すように、互いに対向している一対の矩形状の外側板５２と、一対の外側板５２の間に、外側板５２の各辺に沿って配されるパネルフレーム５３と、一対の外側板５２の間であってパネルフレーム５３で囲まれた領域内に配される間隔保持材５７と、を有している。
【００３６】
パネルフレーム５３は、矩形状の外側板５２の上辺に沿って設けられる角柱状の上フレーム５３aと、外側板５２の下辺に沿って設けられる角柱状の下フレーム５３ｂと、外側板５２の左右側辺に沿って設けられる左右一対の角柱状の横フレーム５３ｃ，５３ｄと、を有している。これらパネルフレーム５３で囲まれた矩形板状の領域内に配される間隔保持材５７は、例えば、矩形板状のハニカム構造体である。
【００３７】
左右一対の横フレーム５３ｃ，５３ｄのうちの右横フレーム５３ｃの右面と、左横フレーム５３ｄの左面との間隔は、矩形状の外側板５２の両側辺の間隔よりも狭い。なお、以下では、右横フレーム５３ｃの右面及び左横フレーム５３ｄの左面をフレーム外側面５４とする。また、上フレーム５３aの右面と左面との間隔は、左右横フレーム５３ｃ，５３ｄの一対の外側面５４の間隔と同じで、矩形状の外側板５２の両側辺の間隔よりも狭い。このため、一対の外側板５２の各右側辺に対して、右横フレーム５３ｃの右面及び上フレーム５３aの右面が凹んでおり、一対の外側板５２の各左側辺に対して、左横５３ｄの左面及び上フレーム５３aの左面が凹んでいる。すなわち、パネル本体５１の側面５５には、図５に示すように、上下方向に伸びた溝部５６が形成されている。この溝部５６の底面は、フレーム外側面５４及び上フレーム５３ａの側面で形成されている。なお、パネル本体５１の側面５５は、左右横フレーム５３ｃ，５３ｄの外側面５４及び上フレーム５３ａの側面と一対の外側板５２の両側辺とを併せたものである。
【００３８】
一方、上フレーム５３aの上面と下フレーム５３ｂの下面との間隔は、矩形状の外側板５２の上下辺の間隔と同じである。このため、矩形板状のパネル本体５１の上面及び下面には、外側板５２の相互間に溝が形成されていない。
【００３９】
下面カバー部材６２は、図５に示すように、パネル本体５１の下面に接してこの面を覆う下面カバー板部６３と、パネル本体５１の外側板５２の表面の下部に接してこの部分を覆う一対の外側板下カバー部６４と、下面カバー板部６３から鉛直下方に垂れ下がる垂下片６５と、を有している。
【００４０】
下面カバー板部６３には、下面カバー部材６２をパネル本体５１の下面に固定するためのネジ１が通る貫通孔６３ａが形成されている。垂下片６５は、矩形状を成し、一対の外側板下カバー部６４の間の中央、言い換えると、パネル本体５１の厚み方向の中央に位置するよう、その上辺が下面カバー板部６３に付いている。
【００４１】
このため、垂下片６５は、図３に示すように、前後方向において、デスク本体１０の幕板３０と同じ位置に位置することになる。したがって、幕板３０と天板１１との間に形成されている開口４０は、前後方向において、垂下片６５と天板１１との間に形成されているとも言える。
【００４２】
なお、この下面カバー部材６２は、断面がクランク形の二枚の金属板で構成され、二枚の金属板のクランクの一方の腕部分の背面相互を張り合わせたものである。
【００４３】
下面カバー部材６２及び上面カバー部材６０は、いずれも、ネジ１等で、パネル本体５１に固定される。
【００４４】
側面カバー部材７０は、図４に示すように、パネル本体５１の側面５５を覆う側面カバー８０と、側面カバー８０をパネル本体５１の側面５５に取り付けるカバー取付具７１，７２と、を有している。カバー取付具７１，７２としては、側面カバー８０の上部をパネル本体５１の側面５５の上部に取り付けるカバー上取付具７１と、側面カバー８０の下部をパネル本体５１の側面５５の下部に取り付けるカバー下取付具７２とがある。
【００４５】
カバー下取付具７２は、図６に示すように、互いに向い合う一対の側板部７３と底板部７４とを有して断面が溝形を成すパネル本体接触部７２ａと、同じく、互いに向い合う一対の側板部７５と底板部７６とを有して断面が溝形を成す連結具接触部７２ｂと、断面がＣ字型のカバー取付部７７と、を有している。
【００４６】
連結具接触部７２ｂの側板部７５の幅（左右方向の長さ）は、パネル本体接触部７２ａの側板部７３の幅（左右方向の長さ）よりも狭い。この連結具接触部７２ｂは、その側板部７５の先端位置とパネル本体接触部７２ａの側板部７３の先端位置とが一致するように、パネル本体接触部７２ａに付いている。このため、連結具接触部７２ｂの底板部７６は、パネル本体接触部７２ａの底板部７４に対して凹んでおり、この部分がカバー下取付具７２の凹み部７８を形成している。
【００４７】
Ｃ字型のカバー取付部７７は、その開口が、溝形の連結具接触部７２ｂの底面と反対側を向くよう、連結具接触部７２ｂの底面に固定されている。
【００４８】
パネル本体接触部７２ａの底板部７４及び連結具接触部７２ｂの底板部７６には、固定具としてのネジが通る貫通孔７４ａ，７６ａが形成されている。連結具接触部７２ｂの底板部７６には、さらに、連結部材９０との相対位置関係を定める位置決め孔７６ｂも形成されている。
【００４９】
カバー上取付具７１は、カバー下取付具７２における連結具接触部７２ｂが無いことを除いて、基本的にカバー下取付具７２と同じである。すなわち、カバー上取付具７１は、図１６に示すように、互いに向い合う一対の側板部７３と底板部７４とを有して断面が溝形を成すパネル本体接触部と、断面がＣ字型のカバー取付部７７と、有している。このパネル本体接触部の側板部７３は、カバー下取付具７２のパネル本体接触部７２ａの側板部７３と、同じ幅である。Ｃ字型のカバー取付部７７は、その開口が、パネル本体接触部の底面と反対側を向くよう、パネル本体接触部の底面に固定されている。パネル本体接触部の底板部には、固定具としてのネジが通る貫通孔（図示されていない）が形成されている。
【００５０】
以上で説明したカバー取付具７１，７２は、その幅（前後方向の長さ）がパネル本体５１の側溝５６（図７参照）の溝幅よりも狭く、この側溝５６内に収められるよう形成されている。
【００５１】
側面カバー８０は、図１４に示すように、パネル本体５１の側面５５を覆う側面カバー板部８１ａ，８１ｂと、カバー上取付具７１及びカバー下取付具７２のＣ字型のカバー取付部７７に嵌り込む嵌入部８２と、この嵌入部８２を支える台部８３と、を有している。
【００５２】
側面カバー板部８１ａ，８１ｂとしては、パネル本体５１の側面５５の前側を覆う前側面カバー板部８１ａ，８１ｂと、パネル本体５１の側面５５の後側を覆う後側面カバー板部８１ａ，８１ｂと、を有している。台部８３の一対の脚８４には、前側面カバー板部８１ａ，８１ｂと後側面カバー板部８１ａ，８１ｂとの間に隙間８５が存在するよう、これらの側面カバー板部８１ａ，８１ｂが付いている。前側面カバー板部８１ａ，８１ｂの幅と後側面カバー板部８１ａ，８１ｂの幅とを併せた側面カバー板部８１ａ，８１ｂの幅Ｗは、パネル本体５１の厚さｔよりも僅かに広く、パネル本体５１の側面５５を確実に覆える幅になっている。
【００５３】
デスク本体１０とデスクトップパネル５０とを連結する連結部材９０は、図７に示すように、連結具９１と、この連結具９１に接続される垂下片保持具９５とを有している。
【００５４】
連結具９１は、デスク本体１０に固定されるデスク側取付部９２と、デスク本体１０の天板１１からパネル本体５１の側面５５に沿うように突出して、パネル本体５１の側面５５に取り付けられるパネル側取付部９３と、デスク側取付部９２とパネル側取付部９３とを繋ぐ繋ぎ部９４と、を有している。連結具９１は、１枚の金属板で形成され、デスク側取付部９２、パネル側取付部９３及び繋ぎ部９４は、一体形成されている。
【００５５】
連結具９１のパネル側取付部９３及び繋ぎ部９４は、この連結具９１によりパネル本体５１とデスク本体１０とが連結された状態で、いずれも、パネル本体５１の側面５５に平行である。また、連結具９１のデスク側取付部９２は、パネル側取付部９３及び繋ぎ部９４に対して垂直で、この連結具９１によりパネル本体５１とデスク本体１０とが連結された状態では、支持脚２０の上面２２と平行である。
【００５６】
連結具９１のパネル側取付部９３は、その幅（前後方向の長さ）がパネル本体５１の側溝５６の溝幅よりも狭く、この側溝５６内に収められるよう形成されている。
【００５７】
連結具９１のデスク側取付部９２及びパネル側取付部９３には、それぞれ、固定具としてのネジ１，２が通る貫通孔９２ａ，９３ａが形成されている。
【００５８】
垂下片保持具９５は、図７及び図８に示すように、連結具９１の繋ぎ部９４が嵌り込む接続溝９９ａが形成されている保持具本体９６と、カバー下取付具７２の位置決め孔７６ｂ（図６参照）に入り込む位置決め爪部９７ａと、この位置決め爪部９７ａを支持する爪脚部９７ｂと、側面カバー８０との相対位置関係を定めるための一対の位置決めピン９８と、を有している。この垂下片保持具９５は、樹脂で形成され、保持具本体９６と位置決め爪部９７ａと爪脚部９７ｂと一対の位置決めピン９８とは一体形成されている。
【００５９】
保持具本体９６の接続溝９９ａは、上下方向に伸び、保持具本体９６の前面９６ａから後側へ凹んだ溝で、その溝幅は、連結具９１の繋ぎ部９４の厚み（左右方向の長さ）に対応している。
【００６０】
右側の連結具９１に接続される保持具本体９６の左側面、左側の連結具９１に接続される保持具本体９６の右側面、つまり、左右の保持具本体９６のパネル本体５１側の内側面９６ｂには、上下方向に伸び、内側面９６ｂの反対側の外側面９６ｃ側に凹み、矩形状の垂下片６５の側辺が入り込む垂下片保持溝９９ｂが形成されている。
【００６１】
保持具本体９６の上面９６ｄには、正面形状がクランク形の爪脚部９７ｂが形成されている。この爪脚部９７ｂの上端部であって、パネル本体５１側である内側面側には、パネル本体５１側に突出した位置決め爪部９７ａが形成されている。
【００６２】
保持具本体９６の上面９６ｄには、さらに、前後方向に並んだ一対の位置決めピン９８が形成されている。前側の位置決めピン９８の前側縁と後側の位置決めピン９８の後側縁との間隔ｄ２は、側面カバー８０の一対の脚８４の相互間隔ｄ１（図１４参照）に等しくなっている。
【００６３】
次に、デスクトップパネル５０とデスク本体１０との連結作業について説明する。なお、この連結作業は、デスクトップパネル５０及びデスク本体１０の左右両側で行われるが、右側の連結作業と左側の連結作業は、基本的に同じであるため、以下では、右側の連結作業を主として説明し、左側の連結作業の説明を省略する。
【００６４】
また、この連結作業の開始時点において、デスクトップパネル５０のパネル本体５１には、上面カバー部材６０及び下面カバー部材６２が既に取り付けられているが、側面カバー部材７０及び上コーナーキャップ６８は未だ取り付けられていない。
【００６５】
まず、図４に示すように、側面カバー部材７０のカバー上取付具７１の底板部７４及びカバー下取付具７２の底板部７４をパネル本体５１の側面５５に接触させ、固定具であるネジ１を用いて、カバー上取付具７１及びカバー下取付具７２をパネル本体５１の側面５５に固定する。この際、図７、図９及び図１０に示すように、カバー下取付具７２に関しては、このカバー下取付具７２のパネル本体接触部７２ａの貫通孔７４ａに、固定具であるネジ１（第一固定具）を挿通させて、このネジ１のみでカバー下取付具７２をパネル本体５１の側面５５に固定する。すなわち、カバー下取付具７２の連結具接触部７２ｂの貫通孔７６ａには、この段階でネジ２（第二固定具）を挿通させない。
【００６６】
カバー下取付具７２がパネル本体５１の側面５５に固定されると、このカバー下取付具７２の凹み部７８とパネル本体５１の側面５５との間に、連結部材９０のパネル側取付部９３が挿入される挿入空間７９が形成される。
【００６７】
次に、連結具９１の繋ぎ部９４を垂下片保持具９５の接続溝９９ａに嵌めこんで、両者を接続させる。そして、連結具９１と垂下片保持具９５との接続により形成された連結部材９０のデスク側取付部９２を、支持脚２０の上面２２中の連結部材受け面２２ａに接触させ、デスク側取付部９２の貫通孔９２ａにネジ１を挿入して、このネジ１を支持脚２０に捻じ込む。これで、デスク本体１０の支持脚２０に連結部材９０が固定される。なお、以上の連結部材９０のデスク本体１０への固定作業は、先に説明したカバー取付具７１，７２のパネル本体５１への固定作業の先に行ってもよい。
【００６８】
次に、カバー取付具７１，７２が固定されたパネル本体５１を移動させて、デスク本体１０に固定された連結部材９０のパネル側取付部９３を、カバー下取付具７２とパネル本体５１の側面５５との間に形成されている挿入空間７９内に差し込む。
【００６９】
この過程で、パネル本体５１の下面に固定されている垂下片６５の側辺が、連結部材９０の垂下片保持溝９９ｂに入り込む。さらに、図１３に示すように、垂下片保持具９５の位置決め爪部９７ａがカバー下取付具７２の位置決め孔７６ｂに入り込み、カバー下取付具７２に対する垂下片保持具９５の相対位置が定まる。
【００７０】
続いて、図７、図１１及び図１２に示すように、カバー下取付具７２の連結具接触部７２ｂの貫通孔７６ａ及び連結部材９０のパネル側取付部９３の挿通孔９３ａに、固定具であるネジ２（第二固定具）を挿通させ、このネジ２をパネル本体５１の側面５５に捻じ込んで、カバー下取付具７２と共に連結部材９０をパネル本体５１の側面に固定する。
【００７１】
以上で、パネル本体５１とデスク本体１０とが連結部材９０により連結される。
【００７２】
次に、パネル本体５１の側面に固定されたカバー取付具７１，７２に、図４、図１４〜図１７に示すように、側面カバー８０を取り付ける。この際、側面カバー８０をパネル本体５１の側面５５に平行にして、この側面カバー８０をカバー取付具７１，７２の上方から下方へ移動させ、カバー取付具７１，７２のＣ字型のカバー取付部７７に側面カバー８０の嵌入部８２を入れ、パネル本体５１の側面をこの側面カバー８０で完全に覆う。
【００７３】
なお、図１４は、図４におけるＸIＶ−ＸIＶ線での断面を示しており、ここにはカバー下取付具７２の連結具接触部７２ｂの断面が描かれている。また、図１５は、デスクトップパネルが組み上がった際の図４におけるＸIＶ−ＸIＶ線での断面を示している。また、図１６は、図４におけるＸＶI−ＸＶI線での断面を示しており、ここにはカバー上取付具７２の断面が描かれている。また、図１７は、デスクトップパネルが組み上がった際の図４におけるＸＶI−ＸＶI線での断面を示している。
【００７４】
これらの図１４〜図１７において、図１４及び図１５では、図１６及び図１７に対して、パネル本体５１の横フレーム５３ｃの外側面５４とカバー取付具７２の底板部７４との間に、連結具９１のディスク側取付部９３が存在する点、カバー下取付具７２の側板部７５の幅が、図１６及び図１７中に示されているカバー上取付具７１の側板部７３の幅より狭い点が、異なる。
【００７５】
側面カバー８０によりパネル本体５１の側面５５が完全に覆われると、図１８に示すように、側面カバー８０の一対の脚８４は、垂下片保持具９５の一対の位置決めピン９８に接触して、側面カバー８０と垂下片保持具９５との前後方向における相対位置が定まる。
【００７６】
最後に、図４に示すように、上コーナーキャップ６８の挿入片６９を、パネル本体５１の側面に固定されているカバー上取付具７１の溝内に差し込む。さらに、図１１及び図１２に示すように、支持脚２０の上面２２中の連結部材受け面２２ａ及び、ここに固定された連結部材９０のデスク側取付部９２を覆うデスクコーナーキャップ９を支持脚２０の後部に取り付ける。なお、このデスクコーナーキャップ９の取り付けは、連結部材９０が支持脚２０に固定された後であれば、どの段階で行ってもよい。
【００７７】
以上で、デスクトップパネル５０が完成すると共に、デスクトップパネル５０とデスク本体１０との連結作業が終了する。なお、以上では、連結部材９０をデスク本体１０に固定してから、連結部材９０をパネル本体５１に固定しているが、連結部材９０をパネル本体５１に固定し、デスクトップパネル５０を完成させてから、連結部材９０をデスク本体１０に固定してもよい。
【００７８】
以上のように、本実施形態では、パネル本体１の側面５５と、この側面５５を覆うための側面カバー部材７０との間に、デスクトップパネル５０とデスク本体１０とを連結する連結部材９０のパネル側取付部９３が入り込む挿入空間７９を形成しているので、パネル本体内に溝等を形成する従来技術よりも、デスクトップパネル５０の構造が簡略化され、製造コストを抑えることができる。
【００７９】
また、本実施形態において、挿入空間７９は、前述したように、カバー下取付具７２をパネル本体５１の側面５５にネジ１で固定することにより、このカバー下取付具７２の凹み部７８とパネル本体５１の側面５５との間に形成される。このため、ネジ１の捻じ込み量を調節することで、パネル本体５１の側面５５に対する凹み部７８の底面を成すカバー下取付具７２の底板部７６の押付け量が変わり、この底板部７６とパネル本体５１の側面５５との間隔、つまり、挿入空間７９の左右方向の幅をある程度調節することできる。よって、本実施形態では、挿入空間７９内でのパネル側取付部９３のガタを抑えることができる。
【００８０】
さらに、本実施形態では、カバー下取付具７２をパネル本体５１の側面５５にネジ１（第一固定具）で固定し、挿入空間７９内に連結部材９０のパネル側取付部９３を挿入した後、ネジ２（第二固定具）で、カバー下取付具７２及び連結部材９０のパネル側取付部９３をパネル本体５１の側面５５に押付け、これらを側面５５に固定しているので、挿入空間７９内でのパネル側取付部９３のガタを実質的に無くすことができる。
【００８１】
従って、本実施形態では、デスク本体１０に対してデスクトップパネル５０を極めて強固に取り付けることができる。
【００８２】
また、本実施形態では、カバー取付具７１，７２及び連結部材９０のパネル側取付部９３をパネル本体５１の側溝５６内に収めているので、パネル本体５１の側面５５を覆う側面カバー８０の外部露出面の面積を小さくでき、スマートな外観に仕上げることができる。
【００８３】
また、本実施形態では、パネル本体５１の下面に固定される肉薄の垂下片６５の側辺が、連結部材９０の垂下片保持溝９９ｂに入り込んで、この連結部材９０により支持されるため、天板１１上の文具等で垂下片６５が押されても、この垂下片６５の変形や破損を抑えることができる。
【００８４】
なお、以上の実施形態では、側面カバー部材７０に凹み部７８を形成し、この凹み部７８とパネル本体５１の側面５５との間に、連結部材９０のパネル側取付部９３が入る挿入空間７９を形成しているが、パネル本体５１の側面５５に凹み部を形成し、この凹み部と側面カバー部材との間に挿入空間を形成するようにしてもよい。
【００８５】
また、以上の実施形態では、カバー取付具７１，７２と側面カバー８０との三つの部材で側面カバー部材７０を構成しているが、一つの部材で側面カバー部材を構成してもよい。但し、この場合、側面カバー部材をパネル本体５１の側面５５に固定するためのネジ等の頭部が外部に露出することになる。
【００８６】
また、以上の実施形態では、連結具９１と垂下片保持具９５との二つの部材で連結部材９０を構成しているが、一つの部材で連結部材を構成してもよい。但し、連結部材の形状が比較的複雑であるため、一つの部材で連結部材を構成すると、その形成に手間がかかり、製造コストの上昇につながる。
【符号の説明】
【００８７】
１：ネジ（第一固定具）、２：ネジ（第二固定具）、１０：デスク本体、１１：天板、２０：支持脚、３０：幕板、４０：開口、４１：配線収容部、４２：配線受けトレー、４５：配線カバー、５０：デスクトップパネル、５１：パネル本体、５５：（パネル本体の）側面、５６：側溝、６０：上カバー部材、６２：下カバー部材、６５：垂下片、７０：側面カバー部材、７１：カバー下取付具、７２：カバー下取付具、７８：凹み部、７９：挿入空間、８０：側面カバー、９０：連結部材、９１：連結具、９２：デスク側取付部、９３：パネル側取付部、９４：繋ぎ部、９５：垂下片保持具、９９ａ：接続溝、９９ｂ：垂下片保持溝
【図１】
0005608379.tif 000002
【図２】
0005608379.tif 000003
【図３】
0005608379.tif 000004
【図４】
0005608379.tif 000005
【図５】
0005608379.tif 000006
【図６】
0005608379.tif 000007
【図７】
0005608379.tif 000008
【図８】
0005608379.tif 000009
【図９】
0005608379.tif 000010
【図１０】
0005608379.tif 000011
【図１１】
0005608379.tif 000012
【図１２】
0005608379.tif 000013
【図１３】
0005608379.tif 000014
【図１４】
0005608379.tif 000015
【図１５】
0005608379.tif 000016
【図１６】
0005608379.tif 000017
【図１７】
0005608379.tif 000018
【図１８】
0005608379.tif 000019